(57)【要約】【課題】高密度光ディスクの記録再生装置および記録ストラテジ調整法として、広く適応することができ、記録再生装置の信頼性を著しく高める技術を提供する。【解決手段】ＨＤ  ＤＶＤ−Ｒがドライブに挿入されたら、記録ストラテジの調整に先立ち、反射率の極性を検出する。前記極性に基づいて、異なる記録ストラテジの調整手順を選択する。【選択図】図６
2008217891.tif 000002
【特許請求の範囲】
【請求項１】
情報記録媒体上に所定の記録ストラテジにて強度変調したレーザ光を照射することによってマークとスペースによるパターン列を記録する光学的記録方式における記録条件調整方法であって、
記録条件調整方法は、複数の異なる記録条件調整プロセスを含み、
前記記録条件調整プロセスの実施に先立ち、情報記録媒体が属する規格における情報記録媒体の媒体種別を判別する媒体種別判別ステップと、
前記媒体種別判別ステップの結果に基づき、前記複数の異なる記録条件調整プロセスのいずれかを選択実施する記録条件調整プロセス選択ステップ
を具備することを特徴とする
情報記録媒体の記録条件調整方法。
【請求項２】
前記媒体種別判別ステップは、
前記情報記録媒体の管理情報記録領域に記載された情報に基づいて前記情報記録媒体の媒体種別を判別することを特徴とする
請求項１に記載の情報記録媒体の記録条件調整方法。
【請求項３】
前記媒体種別判別ステップは、
有機色素を使用した記録膜を持ち、記録により反射率が上昇する特性を持つ媒体を第１種別媒体とし、無機化合物を使用した記録膜を持ち、記録により反射率が低下する特性を持つ媒体を第２種別媒体としたときに、
前記第１種別媒体または前記第２種別媒体の少なくとも一方を判別することを特徴とする
請求項１に記載の情報記録媒体の記録条件調整方法。
【請求項４】
前記記録ストラテジがパルストレイン型の記録ストラテジであって、
前記複数の異なる記録条件調整プロセスは、第１の記録条件調整プロセスと第２の記録条件調整プロセスとを有し、
前記第１の記録条件調整プロセスは、
最初のパルスと最後のパルス以外のパルスを中間パルスとしたときに、
少なくとも前記中間パルスのパルス幅を一律に変化させて前記中間パルスのパルス幅を決定する中間パルス幅決定ステップと、前記中間パルスのパルス幅を決定した後に、最初のパルスのパルス幅を決定するステップを含み、
前記第２の記録条件調整プロセスは、
最初のパルスのパルス幅とその他のパルスのパルス幅との比を決定するパルス幅比決定ステップと、
前記比を決定した後に、前記パルス幅比決定ステップで決定された前記比を保ちながらすべてのパルスのパルス幅を変化させて、すべてのパルスのパルス幅を決定するステップを含むことを特徴とする
請求項３に記載の情報記録媒体の記録条件調整方法。
【請求項５】
記録条件調整プロセス選択ステップは、
前記第１種別媒体に対しては、前記第１の記録条件調整プロセスを実施することを選択し、
前記第２種別媒体に対しては、前記第２の記録条件調整プロセスを実施することを選択することを特徴とする
請求項４に記載の情報記録媒体の記録条件調整方法。
【請求項６】
前記記録ストラテジがノンマルチ型の記録ストラテジであって、
前記複数の異なる記録条件調整プロセスは、
ミドルパワを変化させて、ミドルパワを決定するミドルパワ決定ステップと、
ミドルパワを決定した後、最初のパルスのパルス幅を決定するステップを含む第３の記録条件調整プロセスを有することを特徴とする
請求項３に記載の情報記録媒体の記録条件調整方法。
【請求項７】
記録条件調整プロセス選択ステップは、
前記第１種別媒体に対しては、前記第３の記録条件調整プロセスを実施することを選択することを特徴とする
請求項６に記載の情報記録媒体の記録条件調整方法。
【請求項８】
前記記録条件調整方法にて、ＰＲＳＮＲを使用することを特徴とする
請求項１から７の何れか一項に記載の情報記録媒体の記録条件調整方法。
【請求項９】
記録ストラテジ調整器と、
情報記録媒体が属する規格内における情報記録媒体の媒体種別を判別する媒体種別判別器と
を有し、
前記記録ストラテジ調整器は、
選択可能な複数の記録ストラテジ調整プロセスを有することを特徴とする
情報記録再生装置。
【請求項１０】
前記媒体種別判別器は、
有機色素を使用した記録膜を持ち、記録により反射率が上昇する特性を持つ媒体を第１種別媒体と判別し、
無機化合物を使用した記録膜を持ち、記録により反射率が低下する特性を持つ媒体を第２種別媒体と判別することを特徴とする
請求項９に記載の情報記録再生装置。
【請求項１１】
前記記録ストラテジ調整器は、
前記記録ストラテジがパルストレイン型の記録ストラテジの場合、
最初のパルスと最後のパルス以外のパルスを中間パルスとし、前記中間パルスのパルス幅を一律に変化させて前記中間パルスのパルス幅を決定し、その後、最初のパルスのパルス幅を決定する第１の記録条件調整プロセスと、
最初のパルスのパルス幅とその他のパルスのパルス幅の比を決定した後、前記比を保ちながらすべてのパルスのパルス幅を変化させて、すべてのパルスのパルス幅を決定する第２の記録条件調整プロセスとの少なくとも一方を実行することを特徴とする
請求項１０に記載の情報記録再生装置。
【請求項１２】
前記記録ストラテジ調整器は、
前記第１種別媒体に対しては、前記第１の記録条件調整プロセスを実施し、
前記第２種別媒体に対しては、前記第２の記録条件調整プロセスを実施することを特徴とする
請求項１１に記載の情報記録再生装置。
【請求項１３】
前記記録ストラテジ調整器は、
前記記録ストラテジがノンマルチ型の記録ストラテジの場合、
ミドルパワを変化させて、ミドルパワを決定した後、最初のパルスのパルス幅を決定する第３の記録条件調整プロセスを実行することを特徴とする
請求項１０に記載の情報記録再生装置。
【請求項１４】
前記記録ストラテジ調整器は、
前記第１種別媒体に対しては、前記第３の記録条件調整プロセスを実施することを特徴とする請求項１３に記載の情報記録再生装置。
【請求項１５】
前記情報記録再生装置において、さらに、
ＰＲＳＮＲを測定する手段を有することを特徴とする
請求項９から１４の何れか１項に記載の情報記録再生装置。
【発明の詳細な説明】
【技術分野】
【０００１】
本発明は、情報記録媒体の記録条件調整方法および情報記録再生装置に関し、特に高密度光ディスクの記録再生装置および高密度光ディスクの記録条件調整方法に関する。
【背景技術】
【０００２】
情報処理装置の周辺機器や、ＡＶ機器などに、光ディスク装置が用いられることが多くなってきている。光ディスク装置とは、光ヘッドを用いて、光ディスクに情報を記録したり、記録された情報を読みだしたりする装置である。そのような光ディスク装置において、記録または再生時に光ディスク装置の性能そのものを左右するいくつかの要因が存在する。
【０００３】
記録に関していえば、記録マークを形成する光ビームの制御はその中でも非常に重要な制御である。光ビームの制御は一般的に、記録パワ、バイアスパワなどの出力レベルと、記録用のレーザパルスのパルス幅（時間方向）の制御により成り立つが、光ディスク業界では、両者を包括して記録ストラテジと呼んでいる。
【０００４】
図１は、記録ステラトジの種類を示す図である。図１に示されているように、記録ストラテジにはいろいろな種類がある。記録ステラトジは、記録するメディアによって、パワレベルやパルス形状が異なる場合がある。例えば、１回だけ記録可能な追記型光ディスクであるＤＶＤ−Ｒなどでは、矩形形の記録ストラテジ（ノンマルチ型記録ストラテジとも呼ばれる）が用いられている。また、繰り返し書き換えが可能型光ディスクであるＤＶＤ−ＲＷでは、マルチパルス型の記録ストラテジ（パルストレイン型記録ストラテジとも呼ばれる）が用いられている。また、記録マークを形成しないスペース部での出力レベルは、追記型媒体ではバイアスパワ、書き換えが可能型光ディスクでは、以前存在した記録マークを消去する作用があるので消去パワと呼ばれている。
【０００５】
近年出荷され始めた次世代ＤＶＤであるＨＤ  ＤＶＤ（Ｈｉｇｈ  Ｄｅｆｉｎｉｔｉｏｎ  ＤＶＤ）の場合、追記型のＨＤ  ＤＶＤ−Ｒも書き換え可能型のＨＤ  ＤＶＤ−ＲＷまたはＨＤ  ＤＶＤ−ＲＡＭもマルチパルス型の記録ストラテジを使用している。記録ストラテジは、光ディスクの記録再生性能に大きく影響する。そのため、多くの記録ストラテジ調整方法が知られている（例えば、特許文献１〜８参照。）。
【０００６】
特許文献１（特開２０００−１８２２４４号公報）には、記録ストラテジの調整方法として、記録パワや記録ストラテジのパラメータにいくつかの水準を割り当て、各組合せで網羅的に実験を行ない、最適なものを選択する技術が開示されている。特許文献２（特開２０００−３０２５４号公報）には、記録ストラテジのパラメータの調整と記録パワの調整を別々に行ない、記録パワに関しては理論的なマーク長を指針として決定する技術が開示されている。
【０００７】
また、特許文献３（特開２００１−１５５３４０号公報）には、ＣＡＶ、ＺＣＡＶ、もしくは任意の速度のＣＬＶ記録に適用可能で、簡単な制御方法で記録を行なう技術が記載されている。この技術は、記録線速度が可変である光記録媒体にマルチパルス方式により記録マークを形成する際、設定可能な最高線速度で最適化された発光パターン及びパルス長設定を基本とし、記録マークを形成するためのパルス列に対し、パルスの種類ごとに記録パワを割り当てて、これにより２つ以上の異なる記録パワにより上記のパルス列が生成されるようにする。そして各記録パワを記録線速度又は光記録媒体の記録位置に応じて制御するものである。この技術のように記録パワを記録線速度又は記録位置に合わせて制御することで、記録ストラトジの発光パルス長を一定に固定しても、実用線速度範囲で低ジッタにより記録を行なうことができると述べられている。
【０００８】
また、特許文献４（特開２００３−２０３３４３号公報）にはＣＤ−Ｒ、ＤＶＤ−Ｒの記録ストラテジ調整法が記載されている。さらに、特許文献５（特開２００５−２１６３４７号公報）には、ＤＶＤ−Ｒの記録ストラテジ調整法が開示されている。また、上記の特許文献以外にも、例えば、特許文献６（特開２００６−２６０６６８号公報）、特許文献７（特開２００６−３２３８８４号公報）および特許文献８（特表２００５−５３１８８０号公報）に記載の技術が知られている。
【０００９】
次世代ＤＶＤであるＨＤ  ＤＶＤは、従来のＤＶＤに比べ容量が非常に高く（３倍以上）、信号の読み出しにＰＲＭＬ（Ｐａｒｔｉａｌ  Ｒｅｓｐｏｎｓｅ  Ｍａｘｉｍｕｍ  Ｌｉｋｅｌｉｈｏｏｄ）技術を使用している。ＰＲＭＬ技術は記録信号間の干渉を予め見積もり、確からしいと思われる信号パターンを予測しデコードするものである。ＰＲＭＬ技術に関する技術が知られている（例えば、非特許文献１参照。）。ＨＤ  ＤＶＤではＰＲ（１，２，２，２，１）という非常に干渉の大きなクラスのＰＲＭＬを使っている。それは、自身前後の記録マークの前エッジ、後エッジの状態が、再生信号に大きく影響してくることを意味している。また、記録ストラテジの調整が非常に微妙な調整になることを意味している。
【００１０】
ＰＲＭＬ検出をする場合、再生波形の信号品質を評価するときに使用される指標がいくつかある（例えば、非特許文献２参照。）。そのひとつとして、ＰＲＳＮＲ（Ｐａｒｔｉａｌ  Ｒｅｓｐｏｎｓｅ  Ｓｉｇｎａｌ  ｔｏ  Ｎｏｉｓｅ  ｒａｔｉｏ）がある。これは従来のＤＶＤの再生波形の信号品質の評価に使われていたジッタに変わる指標である。ＨＤ  ＤＶＤのような高密度の光ディスクでは、従来のジッタは使用できない場合がある。ＰＲＳＮＲとは、ユークリッド距離が短く、システムのネックとなっているパスに関して、下記（１）式で計算を行い、ネックとなるパスが複数個ある場合は、各パス間に対して下記（１）式を個別に計算し、その中で下記（１）式の値が、最も小さくなるパスの値をそのＰＲＭＬシステムのＳＮＲとして規定したものである。
【００１１】
【数１】
2008217891.tif 000003
ここでＥ［  ］で示される項は、期待値を表している。期待値とは各時刻で
【数２】
2008217891.tif 000004
を計算した場合に、期待される値であり、平均値と考えても良い。
【００１２】
ＰＲ（１，２，２，２，１）用のＰＲＳＮＲでは、εとして、
ε１＝（１，２，２，２，１）
ε２＝（１，２，１，０、−１、−２、−１）
ε３＝（１，２，１，０，０，０，１，２，１）
の３種類を選択し、それぞれのベクトルεに対して、前記数式を算出し、得られた３通りの前記数式の結果のうち、最小の値をＰＲＳＮＲ値として使用している。ＰＲＳＮＲは値が高ければ高いほど、信号品質が優れていることを意味し、ジッタやエラーレートとは逆である。
【００１３】
また、再生波形の品質を評価する他の方法としては、ダイレクトにエラーレートやＰＩエラーを求めてしまう方法もある。ＰＩエラーとは、ＥＣＣ（Ｅｒｒｏｒ  ｃｏｒｒｅｃｔｉｏｎ  ｃｏｄｅ）のインナー側のパリティによってエラーがあることが検出された行のトータル数を意味し、エラーレートと定性的にほぼ等しい意味で使用されている。
【００１４】
【特許文献１】特開２０００−１８２２４４号公報
【特許文献２】特開２０００−３０２５４号公報
【特許文献３】特開２００１−１５５３４０号公報
【特許文献４】特開２００３−２０３３４３号公報
【特許文献５】特開２００５−２１６３４７号公報
【特許文献６】特開２００６−２６０６６８号公報
【特許文献７】特開２００６−３２３８８４号公報
【特許文献８】特表２００５−５３１８８０号公報
【非特許文献１】Ｍ．Ｎａｋａｎｏ  ｅｔ  ａｌ  Ｔｅｃｈｎｉｃａｌ  Ｄｉｇｅｓｔｓ  ｏｆ  ＯＤＳ  ２００１  （２００１）  ｐ．１４５
【非特許文献２】Ｊａｐａｎｅｓｅ  Ｊｏｕｒｎａｌ  ｏｆ  Ａｐｐｌｉｅｄ  Ｐｈｙｓｉｃｓ  Ｖｏｌ．４３，  Ｎｏ．７Ｂ，  ２００４，  ｐｐ．４８５９−４８６２  “Ｓｉｇｎａｌ−ｔｏ−Ｎｏｉｓｅ  Ｒａｔｉｏ  ｉｎ  ａ  ＰＲＭＬ  Ｄｅｔｅｃｔｉｏｎ”  Ｓ．ＯＨＫＵＢＯ  ｅｔ  ａｌ
【発明の開示】
【発明が解決しようとする課題】
【００１５】
ＨＤ  ＤＶＤでは、変調符号も従来のＤＶＤとは異なるものを使用している。ＥＴＭ（Ｅｉｇｈｔ  ｔｏ  Ｔｗｅｌｖｅ  Ｍｏｄｕｌａｔｉｏｎ）と呼ばれる変調符号で、最短マークあるいは最短スペース長は２Ｔ（Ｔはチャネルクロック周期）である。一方、従来のＤＶＤはＥＦＭと呼ばれる変調符号を用いており、最短マークあるいは最短スペース長は３Ｔである。したがって、記録ストラテジの形態も両者で異なってくる。
【００１６】
例えばＤＶＤ−Ｒの場合、ｎＴ（ｎは３以上の自然数）の長さの記録マークを記録する場合、ｎ−２個のパルスで記録を行う場合があるが、ＨＤ  ＤＶＤ−Ｒの場合、最短記録マーク長が２Ｔであるのでｎ−２個のパルスで記録を行おうとすると２Ｔでは出力パルスが存在しなくなってしまう。つまり少なくともｎ−１個のパルスで記録するなどしなければならない。これは単にパルスの数の議論ではなく、ＤＶＤとＨＤ  ＤＶＤでは記録ストラテジの形態そのものに対して考え方を変えていかなければならないことを意味している。つまり、ＤＶＤでの技術があまり有効に使えない。
【００１７】
また、ＨＤ  ＤＶＤ−Ｒの場合、記録マーク部の反射率がスペース部の反射率より高くなるＬｏｗ  ｔｏ  Ｈｉｇｈ型のメディアと、記録マーク部の反射率がスペース部の反射率より低くなるＨｉｇｈ  ｔｏ  Ｌｏｗ型のメディアの２種類がある。従来のＤＶＤ−ＲはＨｉｇｈ  ｔｏ  Ｌｏｗ型のメディアのみであり、この点でも大きな違いがある。
【００１８】
上述したように、ＨＤ  ＤＶＤほどの高密度になってくると、記録ストラテジの調整は非常に微妙になってくる。また、従来のＤＶＤでは使用していないＰＲＭＬに適した調整もしなくてはならない。このような場合、記録ストラテジの各パラメータが相互に影響しあうことも多く、特許文献１に記載の技術のような荒く、かつ各パラメータが独立に信号品質に影響することを仮定している調整では、最適な記録ストラテジを得ることが困難な場合がある。
【００１９】
また、高密度がゆえに前後の記録マークのエッジに影響されるようになり、特許文献２に示されるような方法でも最適な記録ストラテジを得ることが困難な場合がある。また、従来の技術は、レベルスライス検出用（２値検出用）のものであり、ＰＲＭＬを使用した系にそのまま適用することが困難な場合がある。
【００２０】
特許文献４、５に記載されている技術は、ＰＲＭＬ検出を想定していない調整方法であり、旧来のジッタを用いたものである。ＨＤ  ＤＶＤのような高密度の光ディスクではジッタという信号指標が測定できない場合がある。また、この従来技術は、ＨＤ  ＤＶＤとは違い、３Ｔ以上の信号が存在する変調符号を想定したものであり、記録ストラテジの形態もＨＤ  ＤＶＤなどとは異なっている。したがって、ＨＤ  ＤＶＤなどには、そのまま適用することが困難な場合がある。
【００２１】
このように、ＨＤ  ＤＶＤのように高密度でかつＰＲＭＬを使用した系において、どのように記録ストラテジを調整するか、どの記録ストラテジパラメータをどのような順序で調整すればよいのか明確にすることは、高密度光ディスクを開発する上で非常に大きな課題となっている。このような課題は、ＨＤ  ＤＶＤのような媒体を使用する情報記録再生装置における新たな課題である。
【００２２】
本発明が解決しようとする課題は、高密度光ディスクの記録再生装置および記録ストラテジ調整法として、広く適応することができ、記録再生装置の信頼性を著しく高める技術を提供することにある。
【課題を解決するための手段】
【００２３】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００２４】
上記の課題を解決するために、情報記録媒体上に所定の記録ストラテジにて強度変調したレーザ光を照射することによってマークとスペースによるパターン列を記録する光学的記録方式における記録条件調整方法を以下の手順で実行する。なお、その記録条件調整方法は、複数の異なる記録条件調整プロセスを含むものとする。
まず、前記記録条件調整プロセスの実施に先立ち、情報記録媒体が属する規格における情報記録媒体の媒体種別を判別する媒体種別判別ステップを実行する。次に、前記媒体種別判別ステップの結果に基づき、前記複数の異なる記録条件調整プロセスのいずれかを選択実施する記録条件調整プロセス選択ステップを実行する。
【００２５】
その情報記録媒体の記録条件調整方法において、前記媒体種別判別ステップは、前記情報記録媒体の管理情報記録領域に記載された情報に基づいて前記情報記録媒体の媒体種別を判別することが好ましい。
【００２６】
その情報記録媒体の記録条件調整方法において、前記媒体種別判別ステップは、有機色素を使用した記録膜を持ち、記録により反射率が上昇する特性を持つ媒体を第１種別媒体とし、無機化合物を使用した記録膜を持ち、記録により反射率が低下する特性を持つ媒体を第２種別媒体としたときに、前記第１種別媒体または前記第２種別媒体の少なくとも一方を判別することを特徴とすることが好ましい。
【００２７】
その情報記録媒体の記録条件調整方法において、前記記録ストラテジがパルストレイン型の記録ストラテジである場合、前記複数の異なる記録条件調整プロセスは、第１の記録条件調整プロセスと第２の記録条件調整プロセスとを有するものであることが好ましい。
ここにおいて、前記第１の記録条件調整プロセスは、最初のパルスと最後のパルス以外のパルスを中間パルスとしたときに、少なくとも前記中間パルスのパルス幅を一律に変化させて前記中間パルスのパルス幅を決定する中間パルス幅決定ステップと、前記中間パルスのパルス幅を決定した後に、最初のパルスのパルス幅を決定するステップを含むことが好ましい。また、前記第２の記録条件調整プロセスは、最初のパルスのパルス幅とその他のパルスのパルス幅との比を決定するパルス幅比決定ステップと、前記比を決定した後に、前記パルス幅比決定ステップで決定された前記比を保ちながらすべてのパルスのパルス幅を変化させて、すべてのパルスのパルス幅を決定するステップを含むことが好ましい。
【００２８】
その情報記録媒体の記録条件調整方法において、記録条件調整プロセス選択ステップは、前記第１種別媒体に対しては、前記第１の記録条件調整プロセスを実施することを選択し、前記第２種別媒体に対しては、前記第２の記録条件調整プロセスを実施することを選択することが好ましい。
【００２９】
その情報記録媒体の記録条件調整方法において、前記記録ストラテジがノンマルチ型の記録ストラテジである場合には、前記複数の異なる記録条件調整プロセスは、ミドルパワを変化させて、ミドルパワを決定するミドルパワ決定ステップと、ミドルパワを決定した後、最初のパルスのパルス幅を決定するステップを含む第３の記録条件調整プロセスを有することが好ましい。
【００３０】
その情報記録媒体の記録条件調整方法において、記録条件調整プロセス選択ステップは、前記第１種別媒体に対しては、前記第３の記録条件調整プロセスを実施することを選択することが好ましい。
【００３１】
その情報記録媒体の記録条件調整方法において、ＰＲＳＮＲを使用して前記記録条件調整方法を実行することが好ましい。
【００３２】
また、上記課題を解決するために、記録ストラテジ調整器と、情報記録媒体が属する規格内における情報記録媒体の媒体種別を判別する媒体種別判別器とを有する情報記録再生装置を構成する。ここにおいて、前記記録ストラテジ調整器は、選択可能な複数の記録ストラテジ調整プロセスを有することが好ましい。
【００３３】
その情報記録再生装置において、前記媒体種別判別器は、有機色素を使用した記録膜を持ち、記録により反射率が上昇する特性を持つ媒体を第１種別媒体と判別し、無機化合物を使用した記録膜を持ち、記録により反射率が低下する特性を持つ媒体を第２種別媒体と判別することが好ましい。
【００３４】
その情報記録再生装置において、前記記録ストラテジ調整器は、前記記録ストラテジがパルストレイン型の記録ストラテジの場合、最初のパルスと最後のパルス以外のパルスを中間パルスとし、前記中間パルスのパルス幅を一律に変化させて前記中間パルスのパルス幅を決定し、その後、最初のパルスのパルス幅を決定する第１の記録条件調整プロセスとする。また、最初のパルスのパルス幅とその他のパルスのパルス幅の比を決定した後、前記比を保ちながらすべてのパルスのパルス幅を変化させて、すべてのパルスのパルス幅を決定する第２の記録条件調整プロセスとする。そして、その少なくとも一方を実行することが好ましい。
【００３５】
その情報記録再生装置において、前記記録ストラテジ調整器は、前記第１種別媒体に対しては、前記第１の記録条件調整プロセスを実施し、前記第２種別媒体に対しては、前記第２の記録条件調整プロセスを実施することが好ましい。
【００３６】
その情報記録再生装置において、前記記録ストラテジ調整器は、前記記録ストラテジがノンマルチ型の記録ストラテジの場合、ミドルパワを変化させて、ミドルパワを決定した後、最初のパルスのパルス幅を決定する第３の記録条件調整プロセスを実行することが好ましい。
【００３７】
その情報記録再生装置において、前記記録ストラテジ調整器は、前記第１種別媒体に対しては、前記第３の記録条件調整プロセスを実施することが好ましい。
【００３８】
その情報記録再生装置において、さらに、ＰＲＳＮＲを測定する手段を有することが好ましい。
【発明の効果】
【００３９】
本発明によると、高密度光ディスクの記録再生装置および記録ストラテジ調整法として、広く適応することができ、記録再生装置の信頼性を著しく高める効果がある。
【発明を実施するための最良の形態】
【００４０】
［第１実施形態］
以下に、図面を参照して本発明を実施するための形態について説明を行う。図２は、本実施形態の情報記録再生装置１の構成を例示するブロック図である。情報記録再生装置１は、光ディスク１５を駆動するスピンドル駆動系２と、その光ディスク１５に光を照射し、また、光ディスク１５から反射する光を検出する光ヘッド部３と、入力信号にフィルタリング等の処理を行うＲＦ回路部４と、入力信号を復調する復調器５と、記録すべき信号を変調する変調器６と、光ヘッド部３に備えられているレーザダイオード１１を駆動するＬＤドライバ７と、サーボ信号をコントロールするサーボコントローラ８と、装置全体を統括するシステムコントローラ９とを含んで構成されている。
【００４１】
光ヘッド部３は、レーザダイオード１１と、対物レンズ１２と、ビームスプリッタ１３と、光検出器１４とを含んで構成されている。ビームスプリッタ１３は、レーザダイオード１１からの光を対物レンズ１２に反射させるとともに、光ディスク１５からの反射光を光検出器１４に通過させている。本実施形態では、ＬＤ波長４０５ｎｍ、ＮＡ（開口数）０．６５の光ヘッド部３に対応して説明を行う。また、以下では、ＲＦ回路部４に、ＰＲ（１，２，２，２，１）用のビタビ復号器２６が備えられている場合を例示して、本実施形態の説明を行う。さらに、本実施形態のＲＦ回路部４は、ＰＲＳＮＲを計算する機能を備えているものとする。
【００４２】
システムコントローラ９の内部には、記録ストラテジ、記録パワおよびバイアスパワの調整をコントロールする記録ステラトジ調整器１６と、光ディスク１５がＬｏｗ  ｔｏ  Ｈｉｇｈ型のメディアかＨｉｇｈ  ｔｏ  Ｌｏｗ型のメディアかを判別する媒体種別判別器１７とが内蔵されている。
【００４３】
記録ステラトジ調整器１６は、ＲＦ回路部４から送られてくるＰＲＳＮＲや復調器５によって復調されたデータ列から得られるＰＩエラーによって、記録条件と信号品質の対応を認識し、一連の調整シーケンスをコントロールし、最適な記録ストラテジの調整を行う。
【００４４】
媒体種別判別器１７は、ＲＦ回路部４から送られてくる信号から記録マーク部とスペース部の反射率（信号レベル）の大小関係を検出、反射率極性（Ｌｏｗ  ｔｏ  Ｈｉｇｈ型のメディアかＨｉｇｈ  ｔｏ  Ｌｏｗ型のメディアか）を判定したり、あるいは、復調されたデータ列に含まれる管理情報を使用して、現在装置に挿入されている光ディスク１５がどのような反射率極性を持つかを判定したりする。
【００４５】
光検出器１４からの信号は、ＲＦ回路部４に入力され、フィルタリング、イコライジング、ＰＬＬ等の処理を施される。ＰＲＭＬを使用する場合はここで、ビタビ復号等の処理も行われる。図３は、本実施形態のＲＦ回路部４の構成を例示するブロック図である。ＲＦ回路部４は、プリフィルタ２１と、オートゲインコントロール２２と、Ａ／Ｄコンバータ２３と、フェーズ・ロックド・ループ２４と、適応等化器２５と、ビタビ復号器２６とを含んで構成されている。
【００４６】
適応等化後の信号と、ビタビ復号後のデータ列信号は信号比較器に入力され、信号比較器によってＰＲＳＮＲが計算される。ＰＲＳＮＲ計算時に必要な各時刻のノイズは、ビタビ複合後のデータ列信号と（１，２，２，２，１）ベクトルの畳み込み積分により求められる理想信号波形と適応等化後の信号（実際信号波形）の差として算出される。
【００４７】
図４は、本実施形態に適用可能な記録ストラテジの一つを例示する波形図である。図５は、複数のＨＤ  ＤＶＤ−Ｒ媒体（第１媒体〜第６媒体：Ｌｏｗ  ｔｏ  Ｈｉｇｈ型３つとＨｉｇｈ  ｔｏ  Ｌｏｗ型３つ）の、最適記録ストラテジとＰＲＳＮＲを示すテーブル（以下、目標値テーブル３１と呼ぶ）である。
【００４８】
ここにおいて、第１媒体〜第３媒体は、Ｌｏｗ  ｔｏ  Ｈｉｇｈ型のメディアである。また、第４媒体〜第６媒体は、Ｈｉｇｈ  ｔｏ  Ｌｏｗ型のメディアである。これら複数のＨＤ  ＤＶＤ−Ｒ媒体のディスクの物理構造としては、ポリカーボネイトからなる、厚さが０．６ｍｍ、直径が１２ｃｍである円板状の透明な基板に、プリグルーブと呼ばれる案内溝が形成されている。記録及び再生時には、情報記録再生装置１（光ディスクドライブ）の光ビームがこの案内溝に沿って走査できるようになっている。情報を記録する場合には、この基板上に記録用の膜が成膜される。また、本実施形態においては、物理フォーマットとして、ビットピッチが０．１５μｍ、トラックピッチが０．４０μｍのイングルーブ・フォーマットが使用される場合を例示する。
【００４９】
図５のテーブルは、図４に示された記録ストラテジに対して、そのパラメータを変更し、変更されたパラメータ値すべての組み合わせに関して測定データを取得して得られたものである。そのため、実際のドライブで記録ストラテジを調整した場合に、図５の目標値テーブル３１に示される目標値に近い値であることが好ましい。
【００５０】
図６は、本実施形態の動作を例示するフローチャートである。図６を参照すると、本実施形態の情報記録再生装置１の動作は、ステップＳ１０１において、媒体種別の検出動作を実行する。ステップＳ１０２において、その検出動作に基づいて、ＨＤ  ＤＶＤ−ＲがＬｏｗ  ｔｏ  Ｈｉｇｈ型のメディアかＨｉｇｈ  ｔｏ  Ｌｏｗ型のメディアかを判別する。
【００５１】
ＨＤ  ＤＶＤ−Ｒの場合、そのメディアがＬｏｗ  ｔｏ  Ｈｉｇｈ型のメディアかＨｉｇｈ  ｔｏ  Ｌｏｗ型のメディアかに関する情報を管理情報としてメディアに記載してあるので、その情報を読むことで判断することができる。あるいは、記録パワ、記録ストラテジを調整するために設けられたテストゾーンに試し記録を行い、記録マーク部とスペース部の反射率（信号レベル）の大小関係を検出し、判別を行っても良い。その判別の結果、そのメディアがＬｏｗ  ｔｏ  Ｈｉｇｈ型の場合、処理はステップＳ１０３に進み、Ｈｉｇｈ  ｔｏ  Ｌｏｗ型の場合、処理はステップＳ１０５に進む。
【００５２】
ステップＳ１０３において、全体の骨格に関わるミドルパルス幅（Ｔｍｐ幅）を調整する。その後、ステップＳ１０４において、再生波形のエッジ部の立ち上がり、立ち下がりに関わる、トップパルス幅（Ｔｔｏｐ幅）、ラストパルス幅（Ｔｌｐ幅）を調整する。個々のステップでは調整するパラメータを何段階か変更、試し記録を行い、それぞれのパラメータ値に対して記録された信号を再生し、最も高いＰＲＳＮＲが得られるパラメータ値を最適な値とする。トップパルス幅の調整は２Ｔマーク、３Ｔマーク、４Ｔマーク以上の３種類に分けて個別に行うことが好ましい。
【００５３】
ステップＳ１０５において、Ｔｔｏｐ幅とＴｌｐ幅のパルス幅の比（以下、パルス幅比と呼ぶ）を所望の値に設定する。その後、ステップＳ１０６において、設定したパルス幅比を保ったまますべてパルスの幅を変化させ、最も高いＰＲＳＮＲが得られるパルス幅のところを最適値とする。Ｈｉｇｈ  ｔｏ  Ｌｏｗ型のメディアの場合、最適なパルス幅はメディアに依存するが、最適なパルス幅比がメディアに依存しない。したがって、Ｈｉｇｈ  ｔｏ  Ｌｏｗ型のメディアに対する有効な調整を実行することが可能となる。
【００５４】
このように、本実施形態では、記録ストラテジの調整を実行する前に判別した媒体種別に基づき、記録ストラテジの調整方法を切り替える。これにより、ＨＤ  ＤＶＤ−Ｒの記録ストラテジ調整がつねに良好に実現できる。
【００５５】
図７は、上述の動作にしたがって記録ストラテジの調整を実行した実行結果を示すテーブル（以下、実行結果テーブル３２と呼ぶ）である。本実施形態の情報記録再生装置１は、Ｌｏｗ  ｔｏ  Ｈｉｇｈ型のメディアに対してはステップＳ１０３とステップＳ１０４の手順に従って調整を行い、Ｈｉｇｈ  ｔｏ  Ｌｏｗ型のメディアに対してはステップＳ１０５とステップＳ１０６の手順に従って調整を行っている。図７には、Ｈｉｇｈ  ｔｏ  Ｌｏｗ型のメディアに対して調整をする場合、Ｔｔｏｐ幅とそれ以外のパルスの幅（Ｔｍｐ幅およびＴｌｐ幅）の比を１．６５と固定して調整を行った場合の調整結果が示されている。
【００５６】
複数のＨＤ  ＤＶＤ−Ｒ（第１媒体〜第６媒体）の最適記録条件は、目標値テーブル３１に示した値である。図７を参照すると、第１媒体〜第６媒体を情報記録再生装置１に挿入し、記録条件を調整させたところ、すべての媒体で良好な調整結果が得られていることが示されている。したがって、本実施形態の記録条件調整方法および情報記録再生装置を用いることで、ＰＲＭＬ検出を用いるＨＤ  ＤＶＤにおいて、良好な記録条件を得ることが可能となる。
【００５７】
［第２実施形態］
以下に、本願発明の第２実施形態について説明を行う。第２実施形態では、Ｌｏｗ  ｔｏ  Ｈｉｇｈ型のメディアに対して、ノンマルチ型記録ストラテジを用いている。図８は、ノンマルチ型記録ストラテジを例示する波形図である。ノンマルチ型記録ストラテジのミドルパワＰｍは、原理的にパルストレイン型記録ストラテジのＴｍｐと機能が同じである。したがって、ステップＳ１０３のＴｍｐの調整を、Ｐｍの調整に変更することで、第１実施形態と同様に調整することができる。なお、ステップＳ１０３でのＰｍの調整以外は、第１実施形態と同様の条件で、Ｌｏｗ  ｔｏ  Ｈｉｇｈ型のメディア（第４〜第６媒体）に対して調整を行った。
【００５８】
図９は、第２実施形態における調整結果を例示するテーブルである。図９に示されているように、第２実施形態の動作においても、目標値テーブル３１に示される値とほぼ同等のＰＲＳＮＲが得られている。記録ストラテジにノンマルチ型記録ストラテジを用いた場合であっても、ＰＲＭＬ検出を用いるＨＤ  ＤＶＤにおいて、良好な記録条件を得ることが可能となる。
【００５９】
また、上述の第２実施形態では、Ｌｏｗ  ｔｏ  Ｈｉｇｈ型のメディアに対してノンマルチ型記録ストラテジを適用した。原理的にはＨｉｇｈ  ｔｏ  Ｌｏｗ型のメディアにもノンマルチ型記録ストラテジを適用できる。Ｈｉｇｈ  ｔｏ  Ｌｏｗ型のメディアに対し、ノンマルチ型記録ストラテジを適用する際は、ミドルパワとパルスの関係式を一度導出し、ミドルパワを仮想的なミドルパルスに置き換えてパルス幅比を算出するようにすればよい。
【００６０】
また、上述の複数の実施形態において、ＮＡ０．６５に限定されることなく、あらゆるＮＡに適応可能である。また、上記実施例ではＰＲ（１２２２１）というクラスを使用したが、ＰＲ（１２２１）など他のクラスでも同様に使用することができる。また、記録ストラテジとして、ｎＴ（ｎは２以上の自然数）の記録マークに対してｎ−１個のパルスを出力するものを使用したが、ｎ−２個のパルスを出力するものなど他の形態の記録ストラテジにも応用可能である。また、変調符号としてＨＤ  ＤＶＤで採用されているＥＴＭを仮定したが、その他の変調符号でも同様に使用できる。その場合、例えば、ｎＴ（ｎは３以上の自然数）というような最短データ長が変わる場合もありうる。また、上述の実施形態は、ブルーレイディスク（ＢＤディスク）に適用しても良い。
【００６１】
［比較例］
以下に、本願発明の比較例について説明を行う。以下に述べる比較例では、上述のステップＳ１０１からステップＳ１０２の動作を実行せずに調整を行なった場合の調整結果を示す。図１０は、上述の複数の媒体（第１媒体〜第６媒体）に対し、ステップＳ１０３とステップＳ１０４の手順に示される調整を実行した場合の調整結果を例示するテーブルである。図１０を参照すると、ステップＳ１０３とステップＳ１０４の調整によって第４媒体、第５媒体および第６媒体では、目標値テーブル３１とほぼ同等のＰＲＳＮＲが得られている。しかし、第１媒体、第２媒体および第３媒体では、目標値テーブル３１ほどの良好な結果が得られていない。つまり、ステップＳ１０３とステップＳ１０４の手順に示される調整を実行した場合では、Ｈｉｇｈ  ｔｏ  Ｌｏｗ型を最適値に調整することが困難な場合がある。
【００６２】
これは、Ｈｉｇｈ  ｔｏ  Ｌｏｗ型のＨＤ  ＤＶＤ−Ｒと、Ｌｏｗ  ｔｏ  Ｈｉｇｈ型のＨＤ  ＤＶＤ−Ｒに大きな特性差があることに起因する。ＨＤ  ＤＶＤ−Ｒの場合、同一規格内に（例えばＨＤ  ＤＶＤ−Ｒというカテゴリに）、記録特性の大きく異なる２種類のメディアがあり、それぞれの種類に対して個別のケアが必要となってくる。ＨＤ  ＤＶＤ−ＲのＨｉｇｈ  ｔｏ  Ｌｏｗ型とＬｏｗ  ｔｏ  Ｈｉｇｈ型はそれぞれ無機化合物、有機色素が記録膜として使用されており、それが記録特性を大きく変えていると考えられる。
【００６３】
図１１は、上述の複数の媒体（第１媒体〜第６媒体）に対し、ステップＳ１０５とステップＳ１０６の手順に示される調整を実行した場合の調整結果を例示するテーブルである。なお、本比較例において、Ｌｏｗ  ｔｏ  Ｈｉｇｈ型の場合、記録マークの長さによってＴｔｏｐ幅のパルス幅比が異なるので、それぞれ平均の値を用いている。２Ｔマークの場合１．２２、３Ｔマークの場合１．１３、４Ｔ以上のマークの場合１．０の比を用いている。
【００６４】
図１１を参照すると、一部の媒体では目標値テーブル３１とほぼ同等のＰＲＳＮＲが得られている。しかしながら、適切な値が得られていない媒体もある。このように、つまり、図７の調整手順はＬｏｗ  ｔｏ  Ｈｉｇｈ型のメディアに適していないと考えられる。これは、Ｌｏｗ  ｔｏ  Ｈｉｇｈ型の場合はＨｉｇｈ  ｔｏ  Ｌｏｗ型の場合に比べ、パルス幅のばらつきが大きく、また記録マークの長さによりＴｏｐ幅のパルス幅比が異なり、単純な平均では誤差が大きくなってしまうことに起因していると考えられる。
【００６５】
この比較例から、ＨＤ  ＤＶＤ−Ｒの記録ストラテジの調整方法を考えた場合、Ｌｏｗ  ｔｏ  Ｈｉｇｈ型のメディアとＨｉｇｈ  ｔｏ  Ｌｏｗ型のメディアとで、調整方法を変更することが好ましい。換言すれば、ＨＤ  ＤＶＤ−Ｒの記録ストラテジ調整方法は１種類ではないが、そのメディアがＬｏｗ  ｔｏ  Ｈｉｇｈ型のメディアかＨｉｇｈ  ｔｏ  Ｌｏｗ型のメディアかを判別し、その判別結果によって調整方法を切り替えることで、より適切な記録ストラテジ調整を実行することが可能となる。
【図面の簡単な説明】
【００６６】
【図１】図１は、記録ステラトジの種類を示す図である。
【図２】図２は、情報記録再生装置１の構成を例示するブロック図である。
【図３】図３は、ＲＦ回路部４の構成を例示するブロック図である。
【図４】図４は、本実施形態に適用可能な記録ストラテジの一つを例示する波形図である。
【図５】図５は、複数のＨＤ  ＤＶＤ−Ｒ媒体の、最適記録ストラテジとＰＲＳＮＲを示すテーブルである。
【図６】図６は、本実施形態の動作を例示するフローチャートである。
【図７】図７は、記録ストラテジの調整を実行した実行結果を示すテーブルである
【図８】図８は、ノンマルチ型記録ストラテジを例示する波形図である。
【図９】図９は、第２実施形態における調整結果を例示するテーブルである。
【図１０】図１０は、比較例における第１媒体〜第６媒体の調整結果を例示するテーブルである。
【図１１】図１１は、比較例における第１媒体〜第６媒体の調整結果を例示するテーブルである。
【符号の説明】
【００６７】
１…情報記録再生装置
２…スピンドル駆動系
３…光ヘッド部
４…ＲＦ回路部
５…復調器
６…変調器
７…ＬＤドライバ
８…サーボコントローラ
９…システムコントローラ
１１…レーザダイオード
１２…対物レンズ
１３…ビームスプリッタ
１４…光検出器
１５…光ディスク
１６…記録ステラトジ調整器
１７…媒体種別判別器
２１…プリフィルタ
２２…オートゲインコントロール
２３…Ａ／Ｄコンバータ
２４…フェーズ・ロックド・ループ
２５…適応等化器
２６…ビタビ復号器
３１…目標値テーブル
３２…実行結果テーブル
【図１】
2008217891.tif 000005
【図２】
2008217891.tif 000006
【図３】
2008217891.tif 000007
【図４】
2008217891.tif 000008
【図５】
2008217891.tif 000009
【図６】
2008217891.tif 000010
【図７】
2008217891.tif 000011
【図８】
2008217891.tif 000012
【図９】
2008217891.tif 000013
【図１０】
2008217891.tif 000014
【図１１】
2008217891.tif 000015